(57)【要約】      （修正有）【課題】玉掛け作業に際してワイヤーロープその他の機器に対して所定の点検を実施したことを明示し、ワイヤーロープに容易に装着及び取り外しすることが出来て、装着時には容易に外れてしまうことが無く、再利用可能な点検表示具を提供する。【解決手段】点検表示具１は、玉掛けで用いられる機器（例えばワイヤーロープ２等）が点検されたことを示す点検表示具において、全体が３次元曲線の螺旋（いわゆる「弦巻線」）状に構成され、元の形状から変形した際に（例えば内径がより大きな螺旋形や直線に変形した際に）元の螺旋状に復帰する弾性反撥力を有する可撓性材料（例えば合成樹脂）製であり、点検されたことを表示する所定の色彩であり、前記色彩は緑、黄、赤、白の何れか１色であることが好ましい。【選択図】図３
0003224437.tif 000002
【実用新案登録請求の範囲】
【請求項１】
玉掛けで用いられる機器が点検されたことを示す点検表示具において、
全体が３次元曲線の螺旋形状に構成され、
元の形状から変形した際に元の螺旋状に復帰する弾性反撥力を有する可撓性材料製であり、
点検されたことを表示する所定の色彩を具備することを特徴とする点検表示具。
【請求項２】
点検用表示具の螺旋形よりも大きな外径寸法を有するワイヤーロープに巻き付けることが出来る様に、ワイヤーロープの外径よりも大きい内径を有する螺旋形或いは直線に変形可能な可撓性を有しており、ワイヤーロープに巻き付けた際には半径方向内方に収縮する弾性反撥力を発揮する弾性反撥力を有している請求項１の点検用表示具。
【請求項３】
点検用表示具の螺旋形よりも大きな外径寸法を有するワイヤーロープに巻き付けた後、ワイヤーロープの外径よりも大きい内径を有する螺旋形或いは直線に再び変形してワイヤーロープから取り外すことが出来る様な可撓性を有している請求項２の点検表示具。
【請求項４】
ワイヤーロープから取り外した後、再びワイヤーロープに巻き付けて再利用可能である請求項１〜３の何れか１項の点検用表示具。
【考案の詳細な説明】
【技術分野】
【０００１】
本考案は、クレーン等に物を掛け外しする作業（いわゆる「玉掛け」）で用いられるワイヤーロープその他の機器が点検されたことを表示するのに用いられる点検表示具に関する。
【背景技術】
【０００２】
例えばワイヤーロープ等により荷物をクレーン等のフックに掛け、或いはフックから外す作業（いわゆる「玉掛け」）の際には、安全性の見地から、始業前にワイヤーロープその他の機器における異常の有無を点検する必要がある。そして点検後、必要な点検が行われたことを明示するため、所定の色彩の表示をワイヤーロープ等における見易い箇所に施すことが義務付けられている。従来、所定の色彩の表示するため、前記点検の後、着色された合成樹脂製テープをワイヤーロープ等に巻き付けることが一般的に行われている。
ここで、当該合成樹脂製テープは点検作業の度に付け替える必要がある。また、当該合成樹脂製テープの色は、例えば「緑」、「黄」、「赤」、「白」の順に、例えば「月」毎に変更するので、テープの色を変更する時期には前月の色の点検用テープを取り外して、新たな色の合成樹脂製テープに交換することになる。そして、付け替えられ或いは交換された古い合成樹脂製テープは作業現場で廃棄される。
【０００３】
しかし、古い合成樹脂製テープは作業現場で廃棄される結果、作業現場の環境に悪影響を与えることが懸念されている。
そのため、玉掛け作業に際して所定の点検を実施したことを明示する点検表示具であって、ワイヤーロープ等に容易に装着及び取り外しすることが出来て、装着時には容易に外れることが無く、しかも再利用可能な点検表示具が望まれているが、係る要請に応えることが出来る点検表示具は従来技術においては存在しなかった。
【考案の概要】
【考案が解決しようとする課題】
【０００４】
本考案は上述した従来技術の問題点に鑑みて提案されたものであり、玉掛け作業に際してワイヤーロープその他の機器に対して所定の点検を実施したことを明示し、ワイヤーロープに容易に装着及び取り外しすることが出来て、装着時には容易に外れてしまうことが無く、しかも再利用可能な点検表示具の提供を目的としている。
【課題を解決するための手段】
【０００５】
本考案の点検表示具（１）は、玉掛けで用いられる機器（例えばワイヤーロープ２等）が点検されたことを示す点検表示具において、
全体が３次元曲線の螺旋（いわゆる「弦巻線」）状に構成され、
元の形状から変形した際に（例えば内径がより大きな螺旋形や直線に変形した際に）元の螺旋状に復帰する弾性反撥力を有する可撓性材料（例えば合成樹脂）製であり、
点検されたことを表示する所定の色彩を具備することを特徴としている。
本考案において、前記色彩は緑、黄、赤、白の何れか１色であることが好ましい。
また本考案の点検用表示具（１）は、点検用表示具（１）の螺旋形よりも大きな外径寸法を有するワイヤーロープ（２）に巻き付けることが出来る様に、ワイヤーロープ（２）の外径よりも大きい内径を有する螺旋形或いは直線に変形可能な可撓性を有しており、ワイヤーロープ（２）に巻き付けた際には半径方向内方に収縮する弾性反撥力を発揮する弾性反撥力を有しているのが好ましい。
さらに本考案の点検用表示具（１）は、点検用表示具（１）の螺旋形よりも大きな外径寸法を有するワイヤーロープ（２）に巻き付けた後、ワイヤーロープ（２）の外径よりも大きい内径を有する螺旋形或いは直線に再び変形してワイヤーロープ（２）から取り外すことが出来る様な可撓性を有しているのが好ましい。
それに加えて本考案の点検用表示具（１）は、ワイヤーロープ（２）から取り外した後、再びワイヤーロープ（１）に巻き付けて再利用可能であるのが好ましい。
【考案の効果】
【０００６】
上述の構成を具備する本考案によれば、点検されたことを表示する所定の色彩（例えば「緑」、「黄」、「赤」、「白」）であるため、玉掛けで用いられるワイヤーロープ（２）等に巻き付けることにより、必要な点検が行われたことが肉眼で容易に視認できる。
そして可撓性を有する螺旋状の点検表示具（１）は可撓性材料で構成されているので、人力により容易に変形し、例えば内径がより大きな螺旋形や直線に変形する。そのため本考案の点検表示具（１）は、玉掛けで用いるワイヤーロープ（２）等において、作業者（オペレータ）が視認し易い位置で容易に巻き回して装着することができる。そして、装着後のワイヤーロープ（２）等の変形に対して、容易に追従することが出来る。
その際に、点検表示具（１）を構成する材料の弾性反撥力により、前記ワイヤーロープ（２）等に巻き回された点検表示具（１）には、元の螺旋状に復帰する弾性反撥力が作用する。当該点検表示具（１）の弾性反撥力は前記ワイヤーロープ（２）等を半径方向内側に締め付ける方向に作用するので、前記ワイヤーロープ（２）等に巻き回された点検表示具（１）は外れてしまうことはない。
それと共に、半径方向内側（ワイヤーロープ１を締め付ける側）に力が作用するため、点検表示具（１）が半径方向外側に拡がってしまうことはなく、ワイヤーロープ（２）等に引っ掛かってしまうことが防止され、玉掛け作業の邪魔になることも無い。
さらに、点検表示具（１）の弾性反撥力はワイヤーロープ（２）等を半径方向内側に締め付ける様に作用するため、点検表示具（１）がワイヤーロープ（２）等の長手方向に移動することが防止される。
【０００７】
点検表示具（１）を前記ワイヤーロープ（２）等から取り外す際に、可撓性材料で構成されている点検表示具（１）を、例えばワイヤーロープ（２）よりも大きな内径寸法の螺旋形或いは直線に変形することにより、巻き回されている前記ワイヤーロープ（２）等から容易に取り外すことが出来る。
そして、前記ワイヤーロープ（２）等から取り外された点検表示具（１）を再び前記ワイヤーロープ（２）等に巻き回して装着することが出来るので、本考案の点検表示具（１）は再利用することが出来る。再利用可能な本考案の点検表示具（１）は、ワイヤーロープ（２）等から取り外した際にその場に廃棄されることはなく、作業現場の環境を悪化させることもない。
ここで、従来のビニールテープをワイヤーロープ（２）等に付ける際にカッターで切る必要があり、その際に作業員が怪我をする恐れがあった。それに対して本考案では、カッターを用いて点検表示具（１）を切断する必要が無く、作業員の安全性が向上する。
【図面の簡単な説明】
【０００８】
【図１】本考案の実施形態に係る点検表示具を適用する玉掛け作業用のワイヤーロープを示す説明図である。
【図２】本考案の実施形態に係る点検表示具を示す説明図である。
【図３】図２に示す点検表示具をワイヤーロープに装着した状態を拡大して示す説明図である。
【図４】実施形態に係る点検表示具をワイヤーロープに装着する態様を工程毎に示す説明図である。
【考案を実施するための形態】
【０００９】
以下、添付図面を参照して、本考案の実施形態について説明する。
図示の実施形態に係る点検表示具を適用する玉掛け作業用のワイヤーロープは図１に示されており、図１において、点検表示具１は、ワイヤーロープ２のアイスプライス２Ａ（輪状の部分）に近接して取り付けられている。
図１において点検表示具１が取り付けられている位置は、ワイヤーロープ２において、玉掛け作業を開始する際に作業者が最も着目し易い箇所である。
【００１０】
点検表示具１は図２で示されており、図２（Ａ）では、点検表示具１を取り付けるワイヤーロープ２（図３参照）の長さ方向に沿った側面図において点検表示具１を表示している。一方、図２（Ｂ）では、ワイヤーロープ２の長さ方向とは垂直な方向の端面図において点検表示具１を示している。
点検表示具１は、図３で後述する態様でワイヤーロープ２に取り付けられる。点検表示具１を取り付けることにより、玉掛けで用いられるワイヤーロープ２或いは関連する機器が点検されたことが表示される。
点検表示具１は、全体が３次元曲線の螺旋（いわゆる「弦巻線」）状に構成されており、元の（当初の）形状から変形した際に元の（当初の）螺旋状の形状に復帰する弾性反撥力を有する可撓性材料製である。点検表示具１は、合成樹脂等で構成されている。
【００１１】
図２（Ａ）において、螺旋状形状の点検表示具１はワイヤーロープ２（図３）の長さ方向に複数回巻き回された状態で構成されており、巻き回し数は図示の実施形態では４巻きであるが、それに限定されるものではなく、巻き回しの数を３巻き、５巻き、或いはそれ以外とすることが可能である。
図２（Ａ）で示す様に、点検表示具１において、隣接する「巻き」の間隔は極めて小さいか或いはゼロｍｍである。
図２（Ｂ）で示す様に、ワイヤーロープ２に取り付けられる以前の点検表示具１（単体の点検表示具１：当初の点検表示具１）において、螺旋形状の内径は符号Ｄ１１で示されている。点検表示具１の内径Ｄ１１は、点検表示具１が取り付けられる（巻き回される：装着される）ワイヤーロープ２の外径よりも小さく設定される。
ここで、ワイヤーロープ２は撚り線で構成されており、周面は凹凸を有しているため外径寸法は一定ではない。本明細書ではワイヤーロープ２の最大径をワイヤーロープ２の「外径」と表現している。
【００１２】
可撓性を有する螺旋状の点検表示具１は、人力により容易に変形させることが出来て、例えば内径がより大きな螺旋形状や一直線に伸長した状態に（直線に）、容易に変形することが出来る。そのため点検表示具１は、点検表示具１より外径が大きな玉掛け用のワイヤーロープ２に容易に巻き回して装着することができる。そして、オペレータが視認し易い位置に容易に装着することが可能である。
また、ワイヤーロープ２に巻き回されて変形した点検表示具１に対しては、点検表示具１を構成する材料自体が有する弾性反撥力に基づいて、元の形状（ワイヤーロープ２に巻き回される以前の螺旋形状：図２（Ａ）で示す形状）に復帰しようとする弾性反撥力が作用する。
当該弾性反撥力はワイヤーロープ２を半径方向内側に締め付ける方向に作用するので、ワイヤーロープ２に巻き回された点検表示具１はワイヤーロープ２に取り付けられた状態を維持し、ワイヤーロープ２から外れてしまうことが防止される。そして、半径方向内側（ワイヤーロープ１を締め付ける側）に力が作用するため、点検表示具１が半径方向外側に拡がってしまうことはなく、ワイヤーロープ２に引っ掛かってしまうことが防止され、玉掛け作業の邪魔になることも無い。さらに、点検表示具１がワイヤーロープ２の長手方向に移動することが防止される。
さらに材料自体の可撓性に関連して、装着後にワイヤーロープ２が変形しても、容易に追従することが出来る。
【００１３】
点検表示具１は、点検されたことを表示する所定の色彩であり、例えば、緑、黄、赤、白の何れか１色を定期的に選択する。すなわち、点検表示具１はワイヤーロープ２等の点検作業の度に付け替える必要があり、また、点検を行う「月」毎に点検表示具１の色彩を変更する。
上述の例として、１月、５月、９月に点検を行った際には緑の点検表示具１とし、２月、６月、１０月に点検を行った際には黄の点検表示具１とする。さらに、３月、７月、１１月に点検を行った際には赤の点検表示具１とし、４月、８月、１２月に点検を行った際には白の点検表示具１とする。その結果、毎月、点検表示具１の色彩が変更される。
点検表示具１をワイヤーロープ２に巻き付けることにより、必要な点検が行われたことが肉眼で容易に視認することが可能になり、且つ、点検表示具１の色彩により点検された月が簡単に識別される。
【００１４】
上述した様に、ワイヤーロープ２の外径Ｄ２は図示の点検表示具１のワイヤーロープ２に巻き付ける以前の状態の内径Ｄ１１（図２（Ｂ）参照：螺旋形の内径）より大きい。そのため、点検表示具１をワイヤーロープ２に巻き付けた状態を示す図３（Ａ）で示す様に点検表示具１をワイヤーロープ２に巻き付けるためには、点検表示具１の内径を図２（Ｂ）で示す内径Ｄ１１よりも大きくしなければならない。
図３（Ａ）、（Ｂ）で示す様に、ワイヤーロープ２に巻き付けた状態の点検表示具１の内径Ｄ１２は、ワイヤーロープ２の外径Ｄ２と比較して概略等しい。
点検表示具１をワイヤーロープ２に巻き付ける以前の内径Ｄ１１（螺旋形の内径）、ワイヤーロープ２に巻き付けた後の内径Ｄ１２、ワイヤーロープ２の外径Ｄ２との大小関係は以下の通りである。      Ｄ１１＜Ｄ２≦Ｄ１２
ここで、点検表示具１のワイヤーロープ２に巻き付ける以前の内径Ｄ１１と、ワイヤーロープ２に巻き付けた後の内径Ｄ１２（≒Ｄ２）の差は、点検表示具１がワイヤーロープ２を締め付けるのに必要な弾性反撥力を発生させる程度に大きく設定する必要がある。
【００１５】
図３に示す様に、点検表示具１がワイヤーロープ２に巻き付けられた状態では、点検表示具１には、弾性反撥力Ｆが作用する。上述した様に、ワイヤーロープ２に巻き付ける以前の状態（内径Ｄ１１の状態）の螺旋形状に復帰する様に、弾性反撥力Ｆは作用する。
換言すると、ワイヤーロープ２に巻き付けられた点検表示具１において、弾性反撥力Ｆはワイヤーロープ２を半径方向内側に締め付ける方向に作用し、点検表示具１はワイヤーロープ２を締め付けることにより、ワイヤーロープ２に取り付けられた状態を維持する。そのため、ワイヤーロープ２に巻き付けられた点検表示具１がワイヤーロープ２から外れてしまうことは防止される。
【００１６】
ワイヤーロープ２に巻き付けられた点検表示具１をワイヤーロープ２から取り外す際は、可撓性材料で構成されている点検表示具１を、作業者により、さらに内径の大きな螺旋形或いは直線状に変形させれば、ワイヤーロープ２から容易に取り外すことが出来る。
ワイヤーロープ２から取り外された点検表示具１は弾性反撥力Ｆにより、ワイヤーロープ２に取り付けられていない（当初の）状態、すなわち内径Ｄ１１の螺旋形に復帰する。
ワイヤーロープ２から取り外された点検表示具１は、再びワイヤーロープ２に巻き回して装着することが可能である。すなわち、点検表示具１を再利用することが出来る。その際、点検表示具１の色彩は、上述した点検月の色彩に整合させる必要がある。
この様に、点検表示具１は再利用可能であるので、ワイヤーロープ２等から取り外した際にその場に廃棄されることはなく、作業現場の環境を悪化させることが防止される。
【００１７】
次に、図４を参照して、点検表示具１をワイヤーロープ２に巻き付ける一態様について、工程毎に説明する。図４において、図示の煩雑を回避するため、実寸に比較して作業者の手のサイズを小さく表示している。
図４（Ａ）で示す工程では、点検表示具１の両端を指で摘まみ長手方向（図４（Ａ）における左右方向）に引張力を作用して、当初の（ワイヤーロープ２に巻き付ける以前の）螺旋状の点検表示具１を延伸して、点検表示具１を概略直線状に変形させる。
図４（Ｂ）で示す工程では、直線状に変形させた点検表示具１の一方の端部（図４（Ｂ）では左側の端部）からワイヤーロープ２に巻き付ける。図４（Ｂ）では点検表示具１の左側の部分がワイヤーロープ２に巻き付けられている。直線状に変形した点検表示具１は弾性反撥力により螺旋状に復帰するため、点検表示具１をワイヤーロープ２に容易に巻き付けることが出来る。
【００１８】
図４（Ｃ）において、点検表示具１が完全にワイヤーロープ２に巻き付けられた状態を示しており、図３の状態となっている。
図４（Ｃ）の状態では点検表示具１の内径Ｄ１２（図３（Ｂ）参照）は、ワイヤーロープ２に巻き付ける前の点検表示具１の内径Ｄ１１（螺旋形の内径）より大きいため、点検表示具１の弾性反撥力によりワイヤーロープ２を半径方向内側に締め付けている。
そのため、点検表示具１はワイヤーロープ２に取り付けられた状態を維持し、ワイヤーロープ２から外れてしまうことが防止される。
明確には図示されていないが、図４（Ｃ）の状態から、ワイヤーロープ２に取り付けられた点検表示具１を作業者により順次直線状に、或いはワイヤーロープ２の外径Ｄ２よりも大きな内径寸法の螺旋形状に変形すれば、点検表示具１をワイヤーロープ１から容易に取り外すことが出来る。
【００１９】
図示の実施形態によれば、点検表示具１は点検されたことを表示する所定の色彩（例えば「緑」、「黄」、「赤」、「白」の何れか１色）であるため、玉掛けで用いられるワイヤーロープ２に巻き付けることにより、必要な点検が行われたことが肉眼で容易に視認できると共に、点検表示具１の色彩により点検月を簡単に識別することが出来る。
そして、可撓性材料で構成された螺旋状の点検表示具１は、人力により容易に変形し、内径がより大きな螺旋形や直線に変形させることが出来る。そのため点検表示具１を、玉掛けで用いるワイヤーロープ２に対して容易に巻き回して装着することができる。その際に、オペレータが視認し易い位置において、選択的に且つ容易に装着することが可能である。
また、可撓性材料で構成されているため、装着後のワイヤーロープ（２）等の変形に対して、容易に追従することが出来る。
【００２０】
その際に、ワイヤーロープ２に巻き回された点検表示具１には、ワイヤーロープ２に巻き回される以前の状態に復帰する方向に可撓性材料の弾性反撥力が作用し、当該弾性反撥力により点検表示具１はワイヤーロープ２を半径方向内側に締め付ける。そのため、点検表示具１はワイヤーロープ２に取り付けられた状態を維持することが出来て、ワイヤーロープ２から外れてしまうことが防止される。
それと共に、前記弾性反撥力が半径方向内側に作用して、ワイヤーロープ２を締め付ける様に作用するため、点検表示具１が半径方向外側に拡がってしまうことが防止される。そのため、点検表示具１がワイヤーロープ２に引っ掛かってしまうことが防止され、玉掛け作業の邪魔になることも無い。
さらに、点検表示具１の弾性反撥力がワイヤーロープ２を半径方向内側に締め付ける様に作用するため、点検表示具１がワイヤーロープ２の長手方向に移動することが防止される。その結果、点検表示具１が損傷する可能性がある位置に移動してしまうことはなく、点検表示具１の寿命が短くなることが防止される。
【００２１】
また、点検表示具１をワイヤーロープ２から取り外す際に、可撓性材料で構成され可撓性を有する点検表示具１を変形して、ワイヤーロープ２から容易に取り外すことが出来る。
そして、ワイヤーロープ２から取り外された点検表示具１を再び前記ワイヤーロープ２に巻き回して装着することが可能であり、点検表示具１は再利用することが出来る。そして、再利用可能な点検表示具１は、ワイヤーロープ２から取り外した際にその場に廃棄されることはなく、作業現場の環境を悪化させることもない。
さらに、図示の実施形態に係る点検表示具１は従来のビニールテープとは異なり、ワイヤーロープ２に取り付ける際にカッターで切る必要が無い。そのため、作業員がカッターで怪我をする事態が防止され、作業員の安全性が向上する。
【００２２】
図示の実施形態はあくまでも例示であり、本考案の技術的範囲を限定する趣旨の記述ではないことを付記する。
【符号の説明】
【００２３】
１・・・点検表示具
２・・・ワイヤーロープ
【図１】
0003224437.tif 000003
【図２】
0003224437.tif 000004
【図３】
0003224437.tif 000005
【図４】
0003224437.tif 000006